(57)【要約】【課題】線香立て、灰皿、又はキャンドルホルダーとして使用され、火災の可能性をより完全に無くすことができ、見た目にも美しい外観を得られる花の縁取り器を提供する。【解決手段】陶磁器、石、金属で加工される。中央には線香１１を立てる灰１３、煙草の灰、又は蝋燭を入れるための第一空間７が、周囲にはリング状に、生花１５を活けるための水１７、土、又はスポンジを入れるための第二空間９が、形成される。図１（Ａ）では、第一空間７は、独立した子容器５の内部空間であり、第二空間９は、子容器５を中央に載置できる自立した親容器３の内部周辺空間２１である。図１（Ｂ）では、第二空間９は、リング状の独立した子容器５の内部空間であり、第一空間７は、子容器５を縁部内側に係止し載置できる自立した親容器３の内部中央空間である。図１（Ｃ）では、第二空間９は、リング状の独立した子容器５の内部空間であり、第一空間７は、子容器５を縁部外側に係止し載置できる自立した親容器３の内部空間である。【選択図】図1
0003128660.tif 000002
【実用新案登録請求の範囲】
【請求項１】
陶器、磁器、天然石、人工石、ガラス、又は金属で加工されて、中央に形成され、線香を立てる灰、煙草の灰、又は蝋燭を入れるための第一空間と、第一空間の周囲にリング状に形成され、生花を活けるための水、土、又はスポンジを入れるための第二空間と、を有することを特徴とする花の縁取り器。
【請求項２】
前記第一空間は、独立した子容器の内部空間であり、前記第二空間は、前記子容器を中央に載置できる自立した親容器の内部周辺空間であることを特徴とする請求項1に記載の花の縁取り器。
【請求項３】
前記第二空間は、リング状の独立した子容器の内部空間であり、前記第一空間は、前記子容器を縁部内側に係止して載置できる自立した親容器の内部中央空間であることを特徴とする請求項1に記載の花の縁取り器。
【請求項４】
前記第二空間は、リング状の独立した子容器の内部空間であり、前記第一空間は、前記子容器を縁部外側に係止して載置できる自立した親容器の内部空間であることを特徴とする請求項1に記載の花の縁取り器。
【考案の詳細な説明】
【技術分野】
【０００１】
この考案は、線香を立てる灰を入れる線香立て、煙草の灰を入れる灰皿、又は蝋燭を入れるキャンドルホルダーとして用いられる器の構造に関する。
【背景技術】
【０００２】
従来の線香立て、灰皿、又はキャンドルホルダーは、構造としては一つの空間を有する単純な構造の器であることが多かった。これらの器は、中央に火の付いた線香、煙草、又は蝋燭を置いて使用するものであり、風や揺れや燃焼進行により万一、線香、煙草、又は蝋燭が、倒れたり転がったりして、火災を起こしてしまう可能性をなくすために、周囲には可燃物を置くことがはばかられる。また、線香、煙草、又は蝋燭が、倒れたり転がったりしても、器の外に出ないように大きな器にすることも対策とされる。
【０００３】
特許文献１には、蝋燭立てや線香立に防風のための防風筒や蓋体を設けたものが開示されている。
特許文献２には、線香立ての左右に生け花などを活けることができる花筒が設けられるものが開示されている。
【特許文献１】実開平2-83966
【特許文献２】実用新案登録3058592
【考案の開示】
【考案が解決しようとする課題】
【０００４】
しかしながら、倒れたり転がったりした線香、煙草、又は蝋燭の火が周囲の可燃物に燃え移らないようにするのは、完全には困難である。また、器の大きさを大きくすることにも限界があり、大きすぎると見た目にも良くない。このような線香、煙草、又は蝋燭による火災の心配は、地震や窓からの風などによって増加する。
【０００５】
特許文献１の防風のために防風筒や蓋体は、部品点数が増え、構造が複雑になり、見た目にも良くない。
特許文献２は、線香立ての部分と花筒は遠く離れており、生け花の存在は、火災防止には役立たない。
この考案は、以上の問題点を解決するために、線香、煙草、又は蝋燭による火災の可能性をより完全に無くすことができ、見た目にも美しい外観を得られる花の縁取り器を提供することを目的とする。
【課題を解決するための手段】
【０００６】
以上の課題を解決するために、第一考案は、陶器、磁器、天然石、人工石、ガラス、又は金属で加工されて、中央に形成され、線香を立てる灰、煙草の灰、又は蝋燭を入れるための第一空間と、第一空間の周囲にリング状に形成され、生花を活けるための水、土、又はスポンジを入れるための第二空間と、を有することを特徴とする花の縁取り器である。
【０００７】
第二考案は、更に、前記第一空間は、独立した子容器の内部空間であり、前記第二空間は、前記子容器を中央に載置できる自立した親容器の内部周辺空間であることを特徴とする花の縁取り器である。
第三考案は、更に、前記第二空間は、リング状の独立した子容器の内部空間であり、前記第一空間は、前記子容器を縁部内側に係止して載置できる自立した親容器の内部中央空間であることを特徴とする花の縁取り器である。
第四考案は、更に、前記第二空間は、リング状の独立した子容器の内部空間であり、前記第一空間は、前記子容器を縁部外側に係止して載置できる自立した親容器の内部空間であることを特徴とする花の縁取り器である。
【考案の効果】
【０００８】
第一、第二、第三、又は第四考案によれば、使用時に中央に位置する線香、煙草、又は蝋燭が、風や揺れや燃焼進行により万一、倒れたり転がったりしても、周囲に位置する水、土、又はスポンジ、更には、これらに活けられた生け花により、押しとどめられ、外には出ない。また、水、土、水を含んだスポンジ、生け花は、線香、煙草、又は蝋燭の火に対し消火の働きを有し、よって火災を防止できる。また、活けられた生け花により、見た目にも美しい外観を得られる。
【０００９】
第二、第三、又は第四考案によれば、中央の第一空間と周囲の第二空間とを、親と子の二つの容器の組み合わせで得られる。よって、線香を立てる灰、煙草の灰、又は蝋燭の取り替え作業と、水、土、又はスポンジ、更には、これらに活けられた生け花の取り替え作業との二つの作業を、別々に行え、作業性が向上できる。更に、器の内部の清掃なども容易である。
【考案を実施するための最良の形態】
【００１０】
この考案の実施形態を、図１〜図７に示す。これらの図には３つの実施形態が表される。
図1には、これらの３つの実施形態に係る器の縦断面図が示される。器１は、親容器３と子容器５との組み合わせで構成される。それぞれが、陶器でつくられる。構成された器１の中央には第一空間７が形成され、第一空間７の周囲には、第二空間９がリング状に形成される。第一空間７には、線香１１を立てる灰１３を入れるための空間である。第二空間９は、生花１５を活けるための水１７を入れるための空間とである。この水１７に複数の生け花が活けられる。よって、生け花１５は、第一空間７を取り囲むように、花１５のリングをつくる。
【００１１】
［第一実施形態］
第一実施形態とその変形例を図２及び図３に示す。
第一空間７は、円筒状の独立した子容器５の内部に形成される空間である。子容器５は、底部が底上げされ、底部の下面の周縁には、３つの円弧状の短い脚１９が形成される。
第二空間９は、子容器５を中央に載置できる自立した親容器３の内部周辺空間２１である。すなわち、親容器３は子容器５を内部に載置できる大きな容積を有し、縦断面が略楕円形の回転体形状で、よって全体がふっくらとした外観を持つ。この親容器３の上面の開口２３は、円形で、円筒状の子容器５の外周よりもかなり大きく、載置された子容器５の外周縁２５と、親容器３の開口２３の縁２４との間には、リング状に内部周辺空間２１が形成される。親容器３の内部の深さは、子容器５の外上下寸法とほぼ同じである。底部内側には、リング状溝２７が形成され、載置した子容器５の３つの円弧状の脚１９が嵌合し安定する。底部外側には、３つの脚２８が形成される。
【００１２】
（変形例）
この実施形態において、器１の高さは任意であり、図３（Ａ）に示すように、高さをより低くし、灰皿に適する形にすることも、できる。また、図３（Ｂ）に示すように、親容器３が子容器５を中央に載置する部分に、子容器５の外形よりもやや大きめの円筒状の仕切り２９を形成し、この円筒状の仕切り２９の中に子容器５を載置しても良い。また、器１は、全体がふっくらとした外観としたが、図３（Ｃ）に示すように、全体を円柱状にすることも、できる。子容器５には線香１１ではなく蝋燭３１を入れることも、できる。
【００１３】
［第二実施形態］
第二実施形態とその変形例を図４及び図５に示す。
第二空間９は、リング状の独立した子容器５の内部空間である。すなわち、四角形の空間を有する部分が、離れた回転中心軸の周囲を回転した回転体形状を有する。子のリング状の回転体の外周縁には、係止のための小さなフランジ３３が形成される。
第一空間７は、子容器５を縁部内側に係止して載置できる自立した親容器３の内部中央空間３４である。すなわち、親容器３は子容器５を内部に係止し載置できる大きな容積を有し、縦断面が略楕円形の回転体形状で、全体がふっくらとした外観を持つ。この親容器３の上面の開口２３は、円形で、リングの子容器５の外周よりもかなり大きく、係止された子容器５の内周縁５Ａにより、内側に円筒状の内部中央空間３４が形成される。親容器３の内部の深さは、子容器５の外上下寸法よりも数倍深い。底部内側には、灰１３が厚く積まれ、この灰１３に、子容器５の底部が接する。親容器３の底部外側には、３つの脚２８が形成される。
【００１４】
（変形例）
この実施形態において、器１の高さは任意であり、図５（Ａ）に示すように、高さをより低くし灰皿に適する形にすることも、できる。また、器１は、全体がふっくらとした外観としたが、図５（Ｂ）に示すように、全体を円柱状にすることも、もちろんできる。子容器５には線香１１ではなく蝋燭３１を入れることも、もちろんできる。蝋燭３１を立てる蝋燭立て３５は、短い円柱状をなし、底部に、図５（Ｃ）に示すように、断面が鋸刃状の滑り止め３６が形成される。
【００１５】
［第三実施形態］
第三実施形態とその変形例を図６及び図７に示す。
第二空間９は、リング状の独立した子容器５の内部空間である。すなわち、子容器５は、略半円状の空間を有する部分９Ａが、離れた回転中心軸の周囲を回転した回転体形状を有し、内部に円筒状の空間５Ａが形成され、全体がふっくらとした外観を持つ。
第一空間７は、子容器５を縁部外側に係止して載置できる自立した親容器３の内部空間３Ａである。すなわち、親容器３は、この内部空間３Ａを有する円筒状をなし、底部には拡径した円錐台上の脚部３７を有する。この円筒状の外形寸法は、子容器５の円筒状の空間５Ａに、ほぼぴったりと嵌合する大きさである。嵌合した子容器５の底部は、親容器３の脚部に接して係合する。
【００１６】
（変形例）
この実施形態において、器１の高さは任意であり、図７（Ａ）に示すように、高さをより低くし灰皿に適する形にすることも、できる。また、器１は、全体がふっくらとした外観としたが、図７（Ｂ）に示すように、全体を円柱状にすることも、もちろんできる。子容器５には線香１１ではなく蝋燭３１を入れることも、もちろんできる。
【００１７】
「実施形態の効果」
この実施形態によれば、使用時に中央の灰１３に立てられた線香１１が、風や揺れなどにより万一、倒れたり転がったりしても、周囲に位置する水１７や生け花により、押しとどめられ、外には出ない。また、水１７や生け花１５は、線香１１の火に対し消火の働きを有し、よって火災を防止できる。また、活けられた複数の生け花１５により、花１５のリングが形成され、見た目にも美しい外観を得られる。
【００１８】
また、中央の第一空間７と周囲の第二空間９とは、親と子の二つの容器３，５の組み合わせで得られる。よって、線香１１や灰１３の取り替え作業と、水１７や生け花１５の取り替え作業との二つの作業を、別々に行え、作業性が向上できる。更に、器１を構成する親と子の二つの容器３，５を分離することで、それぞれの内部を簡単に洗浄でき、よって清掃も容易である。
【００１９】
「他の実施形態」
以上の実施形態では、器１は、親容器３及び子容器５とも、陶器で作られるものであったが、他の実施形態では、磁器、天然石、人工石、ガラス、又は金属で加工され作られるものでもよい。また、親容器３及び子容器５が、これらの材質の中から別々に選ばれた材質で作られてもかまわない。
【００２０】
以上の実施形態では、第一空間７には、線香１１を立てる灰１３が入れられ、第二空間９は、生花１５を活けるための水１７が入れられるものとしたが、他の実施形態では、第一空間７には、煙草の灰１３、又は蝋燭３１を入れ、器１を灰皿又はキャンドルホルダーとして使用しても良い。また、第二空間９には、土、又は水を含ませるスポンジを入れるものとしても良い。
以上の実施形態では、器の全体形状、及び第一空間７の平面形状は円形であり、従って第二空間のリング状は、円形のリング状であったが、他の実施形態では、
器の全体形状、及び第一空間７の平面形状は三角形、四角形、更には五角形以上の多角形など、円形以外のものでも可能であり、したがって、第二空間のリング状も、同様に円形以外のリング状とすることが可能である。
【図面の簡単な説明】
【００２１】
【図１】この考案の3つの実施形態を示すもので、（Ａ）は第一実勢形態の使用状態を示す縦断面図、（Ｂ）は第二実勢形態の使用状態を示す縦断面図、（Ｃ）は第三実勢形態の使用状態を示す縦断面図である。
【図２】この考案の第一実勢形態をしめすもので、（Ａ）は正面、背面、左右側面を示す図、（Ｂ）は底面図、（Ｃ）は縦断面図、（Ｄ）は上から見た斜視図、（Ｅ）は（Ｄ）を構成する子容器の正面、背面、左右側面を示す図、（Ｆ）は（Ｅ）の上から見た斜視図、（Ｇ）は（Ｄ）を構成する親容器の斜視図である。
【図３】（Ａ）（Ｂ）（Ｃ）はそれぞれ第一実施形態の変形例を示す縦断面図である。
【図４】この考案の第二実勢形態をしめすもので、（Ａ）は正面、背面、左右側面を示す図、（Ｂ）は底面図、（Ｃ）は縦断面図、（Ｄ）は上から見た斜視図、（Ｅ）は（Ｄ）を構成する子容器の正面、背面、左右側面を示す図、（Ｆ）は（Ｅ）の上から見た斜視図、（Ｇ）は（Ｄ）を構成する親容器の斜視図である。
【図５】（Ａ）（Ｂ）はそれぞれ第二実施形態の変形例を示す縦断面図、（Ｃ）は（Ｂ）の蝋燭立の拡大図である。
【図６】この考案の第三実勢形態をしめすもので、（Ａ）は正面、背面、左右側面を示す図、（Ｂ）は底面図、（Ｃ）は縦断面図、（Ｄ）は上から見た斜視図、（Ｅ）は（Ｄ）を構成する子容器の斜視図、（Ｆ）は（Ｄ）を構成する親容器の正面、背面、左右側面を示す図、（Ｇ）は（Ｆ）の斜視図である。
【図７】（Ａ）（Ｂ）はそれぞれ第三実施形態の変形例を示す縦断面図である。
【符号の説明】
【００２２】
１…器、３…親容器、５…子容器、７…第一空間、９…第二空間、１１…線香、１３…灰、１５…生花、１７…水、１９…脚、２１…内部周辺空間、２３…開口、２５…外周縁、２７…リング状溝、２９…円筒状の仕切り、３１…蝋燭、３３…フランジ、３５…蝋燭立て、３７…円錐台上の脚部。
【図１】
0003128660.tif 000003
【図２】
0003128660.tif 000004
【図３】
0003128660.tif 000005
【図４】
0003128660.tif 000006
【図５】
0003128660.tif 000007
【図６】
0003128660.tif 000008
【図７】
0003128660.tif 000009